(57)【要約】【課題】商品をカウンターで陳列状態として販売する装置において、夜間などの監視できない状況下で、たばこの取り出しを禁止し、たばこの盗難を防止する。【解決手段】  トレーユニット（２）の内部にカートリッジ（３）を収納し、カートリッジ（３）の内部に複数の商品（４）を前列の上方から取り出し可能な状態として収容する商品の陳列販売装置（１）において、トレーユニット（２）の内側上部に前後の方向に移動自在に設けられたスライドホルダー（５）にヒンジ（６）によりロック体（７）を回動自在に取り付け、スライドホルダー（５）の前後方向の移動時に、ガイド（８）によってロック体（７）を開閉し、商品（４）の取り出し空間をロック体（７）により閉じているとき、商品（４）の取り出しを禁止し、商品（４）の盗難を防止する。【選択図】図５
2013244312.tif 000002
【特許請求の範囲】
【請求項１】
前面開口型のトレーユニット（２）の内部に、上面開口型の１または２以上のカートリッジ（３）を引出し可能な状態として収納し、カートリッジ（３）の内部に複数の商品（４）を前列の上方から取り出し可能な状態として収容する商品の陳列販売装置（１）において、
トレーユニット（２）の内側上部に前後の方向に移動自在に設けられたスライドホルダー（５）と、スライドホルダー（５）の前側上部に取り付けられたヒンジ（６）と、ヒンジ（６）に対して回動自在に取り付けられ、商品（４）の上方への取り出しを禁止するロック体（７）と、トレーユニット（２）に設けられ、ロック体（７）の後退時にロック体（７）を跳ね上げ、ロック体（７）の前進時に商品（４）の上方への取り出し空間を閉じる位置へロック体（７）を案内するガイド（８）と、トレーユニット（２）に設けられ、商品（４）の上方への取り出し空間を閉じる位置へロック体（７）を案内したときに、ロック体（７）の跳ね上がりを防止するストッパー（１０）と、からなることを特徴とする商品陳列販売用の盗難防止装置（１１）。
【請求項２】
ロック体（７）を線材により構成する、ことを特徴とする請求項１記載の商品陳列販売用の盗難防止装置（１１）。
【請求項３】
ロック体（７）をプラスチック材料により構成する、ことを特徴とする請求項１記載の商品陳列販売用の盗難防止装置（１１）。
【請求項４】
スライドホルダー（５）をトレーユニット（２）の内側面で案内される線材により矩形状に構成し、線材の後方側にトレーユニット（２）の背面側で前後の方向に移動操作可能なハンドル（１２）を形成する、ことを特徴とする請求項１、請求項２または請求項３記載の商品陳列販売用の盗難防止装置（１１）。
【発明の詳細な説明】
【技術分野】
【０００１】
本発明は、商品、主として各種のパック状態のたばこを接客用のカウンターで陳列状態として販売する装置に関し、特に、夜間などにその装置を監視できない状況下でのたばこの盗難を防止するための装置に関する。
【背景技術】
【０００２】
たばこの陳列販売にあたって、接客用のカウンター上に陳列販売装置があれば、購入者は、陳列販売装置から好みのたばこを自ら選んで、店員に手渡し、代金の清算をできる点で好ましい販売態様となる。
【０００３】
ところが、夜間などに店員が少なくなり、商品の監視が充分にできない状況になると、上記のような販売態様は、盗難の可能性の観点から問題のある販売態様と言える。
【０００４】
特許文献１は、商品陳列台の後方にロック機構を設け、陳列台上の後方の商品の前方への引出しを阻止することによって、商品の盗難を抑止すること、を開示している。
【０００５】
しかし、特許文献１の陳列棚装置は、ラック（棚）を利用する装置であり、たばこなどの商品の陳列販売装置とは大きく異なる。このため、その技術は、たばこなどの商品の陳列販売装置にそのまま利用できない。
【先行技術文献】
【特許文献】
【０００６】
【特許文献１】特開２０１１−１７７４５５公報
【発明の概要】
【発明が解決しようとする課題】
【０００７】
したがって、本発明の課題は、商品、主として各種のたばこをカウンターで陳列状態として販売する装置において、夜間などの監視できない状況下で、たばこの取り出しを禁止し、たばこの盗難を防止することである。
【課題を解決するための手段】
【０００８】
上記課題のもとに、本発明は、前面開口型のトレーユニット（２）の内部に、上面開口型の１または２以上のカートリッジ（３）を引出し可能な状態として収納し、カートリッジ（３）の内部に複数の商品（４）を前列の上方から取り出し可能な状態として収容する商品の陳列販売装置（１）において、トレーユニット（２）の内側上部に前後の方向に移動自在に設けられたスライドホルダー（５）と、スライドホルダー（５）の前側上部に取り付けられたヒンジ（６）と、ヒンジ（６）に対して回動自在に取り付けられ、商品（４）の上方への取り出しを禁止するロック体（７）と、トレーユニット（２）に設けられ、ロック体（７）の後退時にロック体（７）を跳ね上げ、ロック体（７）の前進時に商品（４）の上方への取り出し空間を閉じる位置へロック体（７）を案内するガイド（８）と、トレーユニット（２）に設けられ、商品（４）の上方への取り出し空間を閉じる位置へロック体（７）を案内したときに、ロック体（７）の跳ね上がりを防止するストッパー（１０）と、から商品陳列販売用の盗難防止装置（１１）を構成している（請求項１）。
【０００９】
本発明は、ロック体（７）を線材により構成している（請求項２）。
【００１０】
本発明は、ロック体（７）をプラスチック材料により構成している（請求項３）。
【００１１】
また、本発明は、スライドホルダー（５）をトレーユニット（２）の内側面で案内される線材により矩形状に構成し、線材の後方側にトレーユニット（２）の背面側で前後の方向に移動操作可能なハンドル（１２）を形成している（請求項４）。
【発明の効果】
【００１２】
本発明に係る商品陳列販売用の盗難防止装置（１１）によると、スライドホルダー（５）の前後方向の移動によって、ロック体（７）がガイド（８）に案内されて、カートリッジ（３）の内の商品（４）の上方への取り出し空間を開閉するから、商品（４）の取り出し可能な販売状態、商品（４）の取り出し不能な販売禁止状態の設定が簡単に行え、商品（４）の取り出し不能な販売禁止状態に設定すれば、商品（４）の盗難が確実に防止できるほか、商品（４）の取り出し不能な販売禁止状態のとき、客がトレーユニット（２）の前面からロック体（７）を跳ね上げて商品（４）を取り出そうとしても、ロック体（７）がトレーユニット（２）のストッパー（１０）に当たって、ロック体（７）を跳ね上げができないため、販売禁止状態の解除ができず、商品（４）の盗難が積極的に防止できる（請求項１）。
【００１３】
ロック体（７）が枠状の線材により構成されていると、商品（４）が線材の間から直接視覚的に確認できる（請求項２）。
【００１４】
また、ロック体（７）がプラスチック材料により構成されていると、商品（４）がロック体（７）により覆われるため、商品（４）が汚れない状態となる（請求項３）。
【００１５】
また、矩形状線材のスライドホルダー（５）によると、スライドホルダー（５）の移動案内がトレーユニット（２）の内側面で商品（４）などと干渉しない状態となり、しかもスライドホルダー（５）の後方側にハンドル（１２）があれば、トレーユニット（２）の背面から操作できる（請求項４）。
【図面の簡単な説明】
【００１６】
【図１】本発明に係る商品の陳列販売装置の正面図である。
【図２】本発明に係る商品の陳列販売装置の平面図である。
【図３】トレーユニットに収納するカートリッジ前部分の拡大垂直断面図である。
【図４】本発明に係る商品陳列販売用の盗難防止装置において、商品の取り出し可能な販売状態での要部の拡大断面図である。
【図５】本発明に係る商品陳列販売用の盗難防止装置において、商品の取り出し不能な販売禁止状態での要部の拡大断面図である。
【図６】本発明に係る商品陳列販売用の盗難防止装置の他の例において、商品の取り出し不能な販売禁止状態での要部の拡大断面図である。
【図７】本発明に係る商品陳列販売用の盗難防止装置のさらに他の例において、商品の取り出し不能な販売禁止状態での要部の拡大断面図である。
【発明を実施するための形態】
【００１７】
図１ないし図３は、本発明の前提となる商品の陳列販売装置１を示している。これらの図において、商品の陳列販売装置１は、前面開口型のトレーユニット２と、トレーユニット２の内部に複数の商品としてのパック状態のたばこ４を前面上方から取り出し可能な状態として収容する１または２以上のカートリッジ３とからなる。
【００１８】
図示の例で、トレーユニット２は、通常、接客用のカウンター上に設置され、正面（前面）のほか背面および上面で開口しており、左右の側板１５の下面の差し込み孔１６を側板１５の上部の差し込み片１７に差し込むことによって、複数積み重ね状態として一体的に組み合わされる。なお、側板１５は、鋼板製の底板１８の対向辺に固定した鋼板の外側面にプラスチック製化粧カバーを固定した構造となっている。
【００１９】
また、１または２以上のカートリッジ３は、上面開口型のプラスチック成形品であり、内部に商品として通常１３個のパック状態のたばこ４を前後方向に整列させて収容し、トレーユニット２の内部に前面または背面から出し入れ可能な状態として収納され、図示しないが、トレーユニット２の底板１８とカートリッジ３の底面との間の凹凸のはまり合いによって位置決めされる。トレーユニット２に対するカートリッジ３の収納個数は、トレーユニット２の幅寸法を設計段階で変更することによって、例示の５個に限らず、４個以下、あるいは６個以上とすることもできる。
【００２０】
なお、カートリッジ３は、図２および図３に示すように、底面に案内スリット２１を有し、案内スリット２１に沿ってスライダー１３を前後方向に移動自在に備え、スライダー１３で整列状態のたばこ４を前方向に押し出せるようになっている。この押し出しのためにスライダー１３は、スプリング例えば渦巻き状のスプリング２２を保持している。この渦巻き状のスプリング２２は、スライダー１３によって保持されているが、その外側の一端をカートリッジ３の前内壁に係り止めされている。したがってカートリッジ３の内部に収容されているたばこ４は、スプリング２２により付勢されているスライダー１６によって、前列側からたばこ４を取り出す毎に、順次に前方に押し出されるようになっている。なお、カートリッジ３の前面や背面に収納商品としてのたばこ４の銘柄表示ガードなどが挿入できるようになっている。
【００２１】
スライダー１３に、必要に応じて鈴１４が取り付けられる。鈴１４は、直接に、または弾性材料製の例えば逆Ｕ字状の鈴ホルダー２０によって、スライダー１３に取り付けられている。前列側のたばこ４の取り出し毎に、スラダー１３がスプリング２２に付勢されて急前進し、急停止するが、その度に、鈴１４は、鳴って、たばこ４の取り出しを音で知らせる。
【００２２】
そして本発明は、前記の商品の陳列販売装置１を前提として、商品陳列販売用の盗難防止装置１１の構成に特徴を有する。商品陳列販売用の盗難防止装置１１は、図１および図２のほか、図４および図５に示すように、スライドホルダー５、ヒンジ６、ロック体７、ガイド８、およびストッパー１０などにより構成されている。
【００２３】
スライドホルダー５は、図示の例によると、線材により矩形状に構成されており、トレーユニット２の側板１５の上部内側面に固定されているホルダーガイド１９によって前後の方向に移動自在に設けられ、トレーユニット２の背面側で操作可能なハンドル１２を一体的に形成している。ヒンジ６は、スライドホルダー５の前側上部の左右に一方の取り付け部により取り付けられ、他方の取り付け部によりロック体７に連結されている。
【００２４】
図１ないし図５のロック体７は、線材により横長（左右方向に長い）日の字状または横長（左右方向に長い）口の字状の枠型として構成されており、たばこ４の上方への取り出しを禁止するために、ヒンジ６によって水平なヒンジ軸を中心として回動自在に取り付けられ、スライドホルダー５の前後方向の移動にともなって、左右一対のガイド８に案内されて、ヒンジ軸を中心として回動するように支持されている。
【００２５】
一対のガイド８は、トレーユニット２の側板１５の内側面でスライドホルダー５の下の位置に固定されており、後方の上面で平坦な面を形成し、かつ前方の上面で前下がりの円弧状面を形成しており、これらの面によってロック体７の左右の下端部に当接し、スライドホルダー５の前後方向の移動と連動して、ロック体７の回動姿勢を規制する。この機能の観点から、ガイド８は、ロック体７に対して一種のカムとして働く。
【００２６】
ロック体７は、必要に応じてストッパー片９を有している。ストッパー片９は、ロック体７の左右に設けられ、ロック体７に対してほぼ直角に固定されている。また、ストッパー１０は、トレーユニット２の左右の側板１５の前上位置に設けられ、ロック体７の前傾姿勢のときに、ストッパー片９に当たり、ロック体７の跳ね上がりを防止する位置関係で設けられている。このストッパー片９は、ロック体７の形状を工夫することによって省略できる。
【００２７】
商品の陳列販売装置１は、通常、その前面（正面）を客側に向けて接客用のカウンターの上に置かれる。販売管理者または店員は、客に対してたばこ４の選択購入を可能とするときに、スライドホルダー５のハンドル１２を後方に引いて、スライドホルダー５を後方に移動させる。スライドホルダー５の後方への移動によって、ロック体７は、図４に示すように、ガイド８の後方の平坦な面に乗り上げ、ほぼ水平に跳ね上げられる。ロック体７が跳ね上げ状態にあるときに、カートリッジ３の内の最前列のたばこ４の上方の取り出し空間が開放されて、たばこ４の取り出し可能な販売状態に設定されるため、購入者は、好みのたばこ４を選び、カートリッジ３の内の最前列のたばこ４を上方へ取り出して代金の支払いを済ませる。
【００２８】
スライダー１３に鈴１４が取り付けられていると、たばこ４の取り出しの際に、スライダー１３が急前進して急停止するため、その急な前進・停止にともなって鈴１４が鳴り、たばこ４の取り出しを販売管理者や店員に知らせる。
【００２９】
図４および図５に示すように、トレーユニット２の上面に組み合わせられるトレーユニット２の底板１８、またはトレーユニット２の上面に取り付けられる天板２５に、必要に応じて位置決め用の突起２３、２４が形成されている。これらの突起２３、２４は、底板１８あるいは天板２５を弾性変形により変位させるか、またはハンドル１２を部分的に弾性変形させながら係り合うことによって、スライドホルダー５を位置決めし、位置決め後のスライドホルダー５を前進方向または後退方向へ動き止め状態とする。
【００３０】
天板２５は、トレーユニット２を積み重ねたときの一番上のトレーユニット２の上開口面に取り付けられるが、トレーユニット２を積み重ねないで、１つのトレーユニット２を単体として用いるときには、単体のトレーユニット２ごとにその上開口面に取り付けられる。
【００３１】
商品の整理や管理のために、販売管理者または店員がカウンターの商品の陳列販売装置１から離れるときに、販売管理者または店員は、たばこ４の取り出しを禁止するために、ハンドル１２を操作して、スライドホルダー５を前方に移動させる。スライドホルダー５の前方への移動によって、ロック体７は、図５に示すように、ガイド８の前下がりの円弧状面に案内され、ロック体７の自重によってヒンジ６を回転中心として回り、最前進時に傾斜状態となって、たばこ４の取り出し空間を閉じる。
【００３２】
ロック体７の傾斜姿勢のときに、ロック体７は、すべてのカートリッジ３の内部の前列のたばこ４の取り出し空間を閉じ、すべてのたばこ４の上方への取り出しを禁止する。このようにして、たばこ４の選択購入ができない販売禁止状態に設定される。この状態でも購入者は、枠状のロック体７の隙間空間から好みのたばこ４の存在を確認し、購入に備えることになる。
【００３３】
スライドホルダー５とともにロック体７が前進する過程で、ロック体７のストッパー片９は、ストッパー１０の下を通過して、ストッパー１０よりも少し前に出ている。この状態で購入者が好みのたばこ４を取り出そうとして、ロック体７を跳ね上げ位置へ引き上げようとすると、ロック体７のストッパー片９がストッパー１０に当たって止まり、引き上げられないため、購入者は、ロック体７の引き上げをできず、たばこ４の上方の取り出し空間を解放できないため、たばこ４の取り出しもできない。このようにして、販売管理者または店員の監視できない状況下において、たばこ４の盗難が未然に防止できることになる。既述のように、ストッパー片９は、ロック体７の一部を利用して、ロック体７自体で構成することもできる。
【００３４】
そこで購入者は、販売管理者または店員を呼び、たばこ４の取り出し禁止状態を解除してもらう。ここで販売管理者または店員は、ハンドル１２を後方に引き、スライドホルダー５を後方へ移動させ、ロック体７をガイド８の案内によって跳ね上げて、たばこ４の取り出し禁止状態を解除し、たばこ４を上方へ取り出せる状態とする。
【００３５】
なお、ロック体７が後方に移動するとき、ストッパー片９は、ストッパー１０の下面に接し、下向きの力を受けて、スライドホルダー５やロック体７などの少しの湾曲変形によって、あるいはそれらの変形のないまま、ストッパー１０の下を通過し、ガイド８の後方の平坦な面に乗り上げ、ほぼ水平に跳ね上げられ、もとの取り出し可能な状態すなわち販売状態に復帰する。
【００３６】
次に、図６および図７は、ロック体７を線材ではなく、プラスチック材料により構成する例を示している。図６に示すように、ロック体７は、透明または不透明な板材、例えば円柱面状のプラスチック板により構成することもできる。円柱面状のロック体７は、線材製のロック体７と異なり、最前列のたばこ４の上面を隙間なく覆い、たばこ４の上方への取り出し空間を完全に閉じる。また、図７に示すように、ロック体７は、前面、上面、左右の側面を有するプラスチック成形品により構成することもできる。
【００３７】
図６および図７において、ロック体７が自重によってヒンジ６を回転中心として回り、傾斜状態ないし垂直状態で最前列のたばこ４の前に降り、たばこ４の取り出し空間を閉じているとき、購入者がロック体７を跳ね上げ位置へ引き上げようとすると、ロック体７の一部、図６では天面ないし天面と前面との稜線部分、図７では天面（水平な面）がストッパー１０に当たるため、購入者は、ロック体７の引き上げをできず、たばこ４の取り出しもできない。これらの例のように、ロック体７の一部が直接にストッパー１０に当たるため、ストッパー片９は、不要となる。
【産業上の利用可能性】
【００３８】
図示の例において、販売陳列対象の商品は、主としてたばこ４であるが、商品の陳列販売装置１は、たばこ４と同じような形態の商品の販売陳列にも利用できる。
【００３９】
また、前記の具体例は、商品陳列販売用の盗難防止装置１１をトレーユニット２に付属する機構として説明しているが、スライドホルダー５、ヒンジ６、ロック体７、ガイド８およびホルダーガイド１９、必要に応じて突起２３、２４をユニット化し、各種のタイプのトレーユニット２に取り付け可能な寸法の構造として製作すれば、ユニット化した商品陳列販売用の盗難防止装置１１は、各種のタイプのトレーユニット２に組み込んで利用できるようになる。
【符号の説明】
【００４０】
１  商品の陳列販売装置
２  トレーユニット
３  カートリッジ
４  商品としてのたばこ
５  スライドホルダー
６  ヒンジ
７  ロック体
８  ガイド
９  ストッパー片
１０  ストッパー
１１  商品陳列販売用の盗難防止装置
１２  ハンドル
１３  スライダー
１４  鈴
１５  側板
１６  差し込み孔
１７  差し込み片
１８  底板
１９  ホルダーガイド
２０  鈴ホルダー
２１  案内スリット
２２  スプリング
２３  突起
２４  突起
２５  天板
【図１】
2013244312.tif 000003
【図２】
2013244312.tif 000004
【図３】
2013244312.tif 000005
【図４】
2013244312.tif 000006
【図５】
2013244312.tif 000007
【図６】
2013244312.tif 000008
【図７】
2013244312.tif 000009